(57)【要約】【課題】本発明は、簡単な構成で、覆土を確実に行うことができるとともに土の付着による影響が少ない直播用溝切装置を提供することを目的とする。【解決手段】本発明に係る直播用溝切装置は、耕土に複数の条溝３を形成する深溝形成刃６及び浅溝形成刃９を備えた溝切部材４と、浅溝形成刃９により形成された浅溝８に所定量の種子を播種する播種パイプ１０と、浅溝８に播種された種子に覆土する浅溝８毎に配置された複数のコイル状又は円柱状の回転体である覆土用部材１２と、覆土用部材１２を連結するとともに、装置本体１に上下動可能に装着される連結部材１３とを備えている。【選択図】図１
2005168363.tif 000002
【特許請求の範囲】
【請求項１】
耕土に複数の条溝を形成する溝切手段と、前記溝切手段により形成された各条溝に所定量の種子を播種する播種手段と、前記各条溝に播種された種子に覆土する覆土手段とを備えた直播用溝切装置において、前記覆土手段は、前記各条溝毎に配置された複数の覆土用部材と、該覆土用部材を連結するとともに装置本体に上下動可能に装着される連結部材とを備えていることを特徴とする直播用溝切装置。
【請求項２】
前記覆土用部材は、回転可能に連結されていることを特徴とする請求項１に記載の直播用溝切装置。
【請求項３】
前記覆土用部材は、線材をコイル状に形成していることを特徴とする請求項２に記載の直播用溝切装置。
【請求項４】
前記覆土用部材は、円柱状であることを特徴とする請求項２に記載の直播用溝切装置。
【請求項５】
前記播種手段は、種子の排出口部を揺動させる揺動手段を備えていることを特徴とする請求項１から４のいずれかに記載の直播用溝切装置。
【請求項６】
前記溝切手段は、周縁部の外形がＶ字状又はＵ字状に先細に形成された回転体であることを特徴とする請求項１から５のいずれかに記載の直播用溝切装置。
【請求項７】
前記溝切手段は、周縁部に複数の切欠部がある回転体であることを特徴とする請求項１から５のいずれかに記載の直播用溝切装置。
【発明の詳細な説明】
【技術分野】
【０００１】
本発明は、溝切手段、播種手段、及び覆土手段を備える直播用溝切装置に関する。
【背景技術】
【０００２】
従来より、直播用溝切装置において播種の効率化の観点から、直播用溝を安定状態に形成して、覆土後に好気性があり、播種された種子の発芽、発育を均一にし、直播の生産性が向上する直播用溝切装置が考えられてきた。例えば特許文献１には、地面と接触しつつ軸線回りに回転する丸軸からなる回転軸に、その径よりも大径である浅溝形成刃と、その両側に前記浅溝形成刃より大径の深溝形成刃が設けられ、刃の周縁部分に切欠部の複数が略等角度ピッチで設けられた溝切刃と、浅溝形成刃によりはね上げられた土が振り掛かることと、降雨により浅溝の底部分が崩れることで覆土されることを特徴とする直播用溝切装置が記載されている。また、特許文献２には、地面と接触しつつ軸線回りに回転する丸軸からなる回転軸にその径よりも大径である浅溝形成刃と、その両側に前記浅溝形成刃より大径の深溝形成刃が設けられ、刃の溝切り部の外形が、先細化するＶ字状又はＵ字状に形成された溝切刃と、播種管にバネ部材を介して固定された覆土板により種子に土をかけ覆土することを特徴とする直播用溝切装置が記載されている。また、特許文献３には、回転体外周から外方に突設する径大の作溝具と、種子を播種するための播種パイプと、溝上部の土を案内する後方を開放したコ字状の棒である覆土具を備え、前記播種パイプと前記覆土具が互いに独立して上下動自在である回転作溝播種装置が記載されている。
【特許文献１】特開平５−１４６２０１号公報
【特許文献２】特公平６−４６８８８号公報
【特許文献３】特開平１０−４２６２７号公報
【発明の開示】
【発明が解決しようとする課題】
【０００３】
こうした従来の直播用溝切装置では、播種溝用の浅溝形成刃と排水溝用の深溝形成刃については種々の工夫がなされているが、種子の発芽に重要な覆土装置については、特許文献１では、浅溝形成刃によりはね上げられた土が振り掛かる衝撃で、播種された種子が浅溝から飛散し覆土が不均一になるおそれがある。また、降雨により浅溝底部が崩れて覆土される場合も同様に、雨滴の衝撃で種子が浅溝から飛散し、覆土が不均一になるおそれがある。特許文献２では、播種管にバネ部材を介して覆土板を取り付けているが、バネ部材の付勢力が強すぎると覆土が多くなって押し固めたようになり、種子の好気性が損なわれ易く、種子の発芽が阻害されることにもなる。したがって、バネ部材の付勢力の調整が難しい。また、土が覆土板に溜まり易く、溜まると大きな抵抗が生じ、覆土板が溜まった土により浮き上がって覆土板が機能しなくなるおそれがある。特許文献３では、後方を開放したコ字状の棒である複数の覆土具が互いに独立して上下動自在とし、バネにより下方に付勢しているため、バネの付勢力がうまく設定されていないと、覆土する為に各浅溝にかかる負荷が均等ではなく、覆土不均一になる可能性がある。また、各覆土具が独立しているので、覆土具の脱着等を行うのが容易ではない。また、耕土に覆土具を押し付けていると、覆土具やバネに土が付着し、バネが伸びる等して覆土具の押付力がなくなり機能しなくなるおそれがある。
【０００４】
そこで、本発明では、簡単な構成で、覆土を確実に行うことができるとともに、土の付着による影響が少ない直播用溝切装置を提供することを目的とする。
【課題を解決するための手段】
【０００５】
本発明に係る直播用溝切装置は、耕土に複数の条溝を形成する溝切手段と、前記溝切手段により形成された各条溝に所定量の種子を播種する播種手段と、前記各条溝に播種された種子に覆土する覆土手段とを備えた直播用溝切装置において、前記覆土手段は、前記各条溝毎に配置された複数の覆土用部材と、該覆土用部材を連結するとともに装置本体に上下動可能に装着される連結部材とを備えていることを特徴とする。
【０００６】
さらに、前記覆土用部材は、回転可能に連結されていることを特徴とする。
【０００７】
さらに、前記覆土用部材は、線材をコイル状に形成していることを特徴とする。
【０００８】
また、前記覆土用部材は、円柱状であることを特徴とする。
【０００９】
さらに、前記播種手段は、種子の排出口部を揺動させる揺動手段を備えていることを特徴とする
【００１０】
さらに、前記溝切手段は、周縁部の外形がＶ字状又はＵ字状に先細に形成された回転体であることを特徴とする。
【００１１】
また、前記溝切手段は、周縁部に複数の切欠部がある回転体であることを特徴とする。
【発明の効果】
【００１２】
本発明は、上記のような構成を有することで、各条溝毎に配置された複数の覆土用部材と該覆土用部材を連結するとともに装置本体に上下動可能に装着される連結部材とを備えているので、覆土用部材が連結部材により一体となって耕土上に配置されると、各覆土用部材にほぼ均一な重量がかかることになり、覆土用部材がそれぞれ独立して本体に取付けられている場合に比べて覆土を均一化することができる。そして、連結部材の重量も覆土用部材に加わるようになり、バネ部材等の付勢力がなくても確実に覆土を行うことができる。また、バネ部材を用いる場合でも連結部材を付勢すればよく、覆土用部材毎にバネ部材を配設する必要はなく、個別に調整する必要もない。また、連結部材を本体から脱着することで複数の覆土用部材が１度に脱着でき、覆土用部材がそれぞれ独立して本体に取付けられている場合に比べて容易に脱着可能である。
【００１３】
さらに、複数の覆土用部材を回転可能に連結することで、覆土しながら、土寄せ作用で溜まる土を適宜後方に放出することができ、覆土用部材に土が付着することによる負荷がかからず故障しにくくなる。また、各覆土用部材が回転することにより、各条溝の状況が異なっていても確実に覆土を行うことができる。例えば、各条溝の傾斜が異なっていてもそれぞれの傾斜に沿って覆土用部材が動作することになる。
【００１４】
さらに、覆土用部材の形状をコイル状とすることで、コイルの間隙に絶えず土が巻き込まれて放出されることで土が溜まらず、また土が巻き込まれながら覆土されるので、柔く覆土されて条溝が必要以上に押し固められることがなく、覆土後の種子の好気性が保たれる。
【００１５】
また、覆土用部材の形状を円柱状とすることで、その外周面で各条溝を転圧しながら覆土することとなり、各条溝を確実に覆土することができる。そして、外周面に突起を形成すれば、さらに効率よく覆土を行うことができる。
【００１６】
また、播種手段に種子の排出口部を揺動させる揺動手段を設けることで、排出口に付着する土をふるい落とすことができ、播種動作を良好に行うことができる。
【００１７】
さらに、溝切手段を、周縁部の外形がＶ字状又はＵ字状の回転体にすることで、耕土を無理のない状態で押し分けながら、撫でつけることができ、形成される各条溝は凹凸の少ない安定した面となり、溝断面は明瞭で安定状態のＶ字又はＵ字状となるので、各条溝に播種された種子は、同一の高さに存在することになり、覆土手段により、均一な覆土を行うことができる。
【００１８】
また、溝切手段を、周縁部に複数の切欠部がある回転体にすることで、各条溝を形成する際に、切欠部により切れ込みを作りつつ耕土を無理のない状態で押し分ける。しかも、土中に稲株または草等が混入している場合にも、切欠部により容易に排除することができる。従って、固くなった地面や荒れた地面であっても土を崩し易く、条溝を容易に形成することができる。
【発明を実施するための最良の形態】
【００１９】
以下、本発明に係る直播用溝切装置に関する実施形態について詳しく説明する。なお、以下に説明する実施形態は、本発明を実施するにあたって好ましい具体例であるから、技術的に種々の限定がなされているが、本発明は、以下の説明において特に発明を限定する旨明記されていない限り、これらの形態に限定されるものではない。
【００２０】
図１は、本発明に係る実施形態に関する斜視図を示している。装置本体１は牽引車２に連結されて牽引されるようになっており、牽引車２には種子を一時的に溜めておく為の種子ホッパー３１が搭載されている。装置本体１には、進行方向前方に耕土を耕すための耕耘部材が回転軸に装着されており、耕耘部材の進行方向後方に、条溝３を形成するための溝切部材４が耕耘部材と別の回転軸５に装着されている。溝切部材４は、排水や施肥用の深溝６を形成するための複数の深溝形成刃７と、播種用の浅溝８を形成するための複数の浅溝形成刃９からなり、深溝形成刃７の間に浅溝形成刃９が配置されている。そして、浅溝形成刃９の進行方向後方に播種パイプ１０が装置本体１の上部から垂設されており、播種パイプ１０は、種子ホッパー３１とホース１１を介して接続されている。播種パイプ１０の進行方向後方には、覆土用部材１２が配設されており、覆土用部材１２は連結部材１３により連結され、連結部材１３は上下動可能に装置本体１に装着されている。
【００２１】
図２及び図３は、溝切部材４の例を一部拡大して示した図である。深溝形成刃７及び浅溝形成刃９は図２に示すように、回転軸５よりも大径の円形状に形成されており、深溝形成刃７の方が浅溝形成刃９より大径とされている。それぞれの刃の周縁部１５の外形は、断面Ｖ字状に形成されている。断面Ｖ字状に形成することで、耕土を無理のない状態で押し分けながら、撫でつけることができ、形成される各条溝３は凹凸の少ない安定した面となり、溝断面は明瞭で安定状態のＶ字となることは、公知技術と同様である。
【００２２】
また、深溝形成刃７及び浅溝形成刃９を、図３に示すように、切欠部１６と切刃部１７を有する２枚の回転刃の組み合わせとすることも可能である。両回転刃がやや距離をおいて対向状態に組合わされていることから、深溝６形成の際に、切刃部１７が切れ込みを作りつつ地面を無理のない状態で押し分ける。しかも切れ込みを作る際に回転刃間の空所に入り込んだ稲株または草等は切刃部１７と切欠部１６との間隙や対向する切刃部間の間隙から容易に排出されることとなる。また、浅溝形成刃９も切欠部１８を有することで、稲株または草等がある場合でも安定して浅溝８を形成することができることは、公知技術と同様である。
【００２３】
以上のような溝切部材４を用いることで図２又は図３に示すように、深溝６の間に凹凸の少ない安定した畝２０を形成することができ、また深溝６及び浅溝８の壁面１９も撫でつけられて安定した面に仕上げることができる。
【００２４】
次に、覆土用部材について説明する。図４は装置本体の回転軸方向から見た拡大図であり、図５は装置本体の進行方向から見た図である。覆土用部材１２は、図４、図５に示すように、播種パイプ１０の進行方向後方において、連結部材１３により連結され、連結部材１３は装置本体１に装着されて、上下動可能となっており、覆土用部材１２はそれぞれが回転可能となっている。更に詳しくは、連結部材１３は装置本体１の上部カバー２３に装着される連結支持部１３ａと、覆土用部材１２が連結される連結部１３ｂからなっており、連結支持部１３ａは丸棒をＬ字状に折り曲げて形成されており、上端部は、上部カバー２３に立設されている軸支部材２４の、貫通孔に回動自在に挿通されており、挿通された端部には抜止部材２７が取り付けられる。抜止部材２７は、例えばナットとし、連結支持部１３ａの端部をネジ加工して取り付ければよい。これにより連結支持部１３ａが軸支部材２４を支点として回転可能となるので、連結部材１３を上下動可能とすることができ、また連結支持部１３ａが抜け落ちることがない。
【００２５】
そして、連結支持部１３ａは上部カバー２３と平行に外側に向かって延び、適当な長さで下方に折り曲げられている。連結支持部１３ａのもう一方の端部には取付部２９が形成されている。取付部２９は、連結部１３ｂを装着するための貫通孔を有する。連結部１３ｂは水平方向に延びる一本の丸棒で、その両端部はネジ加工されている。両端部は、連結支持部１３ａの取付部２９の貫通孔に挿通されて、固定ナット３０で固定され、連結部１３ｂは回転しないように取り付けられている。
【００２６】
覆土用部材１２は、連結部１３ｂに挿通して回転可能に取り付けられており、浅溝８に対向する位置に位置決めされている。覆土用部材１２は、一対の位置決めクリップ２８を覆土用部材１２の両側に配設して連結部１３ｂに固定することで位置決めされる。位置決めクリップ２８は、ボルトを緩めることにより、固定位置を自由に変更できるので、覆土用部材１２の位置も自由に変更可能であり、覆土用部材１２の交換等での脱着も容易に行うことができる。
【００２７】
各覆土用部材１２は一本の連結部１３ｂに取り付けられることで、各覆土用部材１２にほぼ均一な重量がかかるようになり、覆土用部材１２がそれぞれ独立して本体に取付けられている場合に比べて覆土を均一化することができ、また、複数の覆土用部材１２を一度に脱着することができる。また、回転自由とすることで、土寄せ作用で溜まる土を適宜後方に放出することができ、覆土用部材１２に土が付着することによる負荷がかからず故障しにくくなる。より負荷のかかる確実な覆土を行いたい場合は、例えば、連結部材１３にウェイトやバネ部材を取付け、覆土用部材１２により大きな負荷がかかるようにすればよく、また、ウェイトやバネ部材を調整することで、覆土状態を調整することも可能である。
【００２８】
図６、図７は覆土用部材１２の形状を示す斜視図である。図５及び図６に示すように、覆土用部材１２を線材をコイル状に形成した回転体とした場合は、コイルの両端部を連結部１３ｂに巻き付けるように形成して、回転可能となっている。コイル状回転体２１は、その両側に位置決めクリップ２８を固定することにより位置決めされており、位置決めクリップ２８は連結部１３ｂを挿通するための貫通孔を備えた円盤状の軸嵌合部２８ａと、軸嵌合部２８ａから突設した、締結部２８ｂからなり、締結部２８ｂに装着されたボルトを緩めた状態で連結部１３ｂに挿通し、ボルトを締めることで固定される。位置決めクリップ２８をコイル状回転体２１の両側に、やや間隔をあけ固定することで、その回転を妨げることなく、コイル状回転体２１を浅溝８と対向する位置に配設することができ、また、所定位置を自由に変更できる。さらに、交換等による脱着も容易に行うことができる。コイル状回転体２１を用いることで、コイルの間隙に絶えず土が巻き込まれて放出されることで土が溜まらず、また土が巻き込まれながら覆土されるので、柔く覆土されて浅溝８が必要以上に押し固められることがないので、覆土後の種子の好気性が保たれる。
【００２９】
図７には、覆土用部材１２を円柱状回転体２２とする場合を示している。円柱状回転体２２は、金属製の円筒管の両側を円板により密閉して構成されており、円板の中心に貫通孔を形成し、連結部１３ｂを挿通することにより、連結されて、回転可能となっている。円柱状回転体２２は、コイル状回転体２１と同様に両側に配設された位置決めクリップ２８により位置決めされる。円柱状回転体２２を用いることで、その外周面で浅溝８を転圧しながら覆土することにとなり、浅溝８を確実に覆土することができる。そして、外周面に突起を形成すれば、さらに効率よく覆土を行うことができる。
【００３０】
次に、播種パイプの揺動手段について説明する。図４に示すように、播種パイプ１０は、上部カバー２３に進行方向後方に、ほぼ水平に突設された播種パイプ固定部２５に固定して垂設されており、その排出口部３２は浅溝形成刃９の進行方向後方に位置している。播種パイプ固定部２５の下方には、上部カバー２３と播種パイプ１０との間にバネ部材２６が、一方の端部は上部カバー２３側に、他方の端部は播種パイプ１０側に固定されている。
【００３１】
装置本体１が振動すると、その振動が上部カバー２３からバネ部材２６に伝播され、バネ部材２６で増幅されて播種パイプ１０に伝播する。播種パイプ１０は、播種パイプ固定部２５を支点として効率良く揺動するようになり、  排出口部３２を揺動させて、排出口に付着する土をふるい落とすことができ、播種動作を良好に行うことができる。また、播種パイプ１０は揺動するため、材質は塩化ビニール等の柔軟性のあるものが好ましい。更に、バネ部材２６をスライド可能な２つの円筒体の内部に装着し、一方の円筒体を上部カバー２３に、他方の円筒体を播種パイプ１０にそれぞれ取り付けることで、バネ部材２６の振動が進行方向に制限され、播種パイプ１０が浅溝８に沿って揺動するようになり、種子が浅溝８に的確に播種されながら、排出口に付着した土をふるい落とすことができる。
【図面の簡単な説明】
【００３２】
【図１】本発明に係る実施形態に関する斜視図
【図２】本発明に係る溝切部材の例を一部拡大して示した図
【図３】本発明に係る溝切部材の別の例を一部拡大して示した図
【図４】本発明に係る実施形態を回転軸方向から見た拡大図
【図５】本発明に係る実施形態を進行方向から見た図
【図６】覆土用部材に関する例を示す斜視図
【図７】覆土用部材に関する別の例を示す斜視図
【符号の説明】
【００３３】
１    装置本体
２    牽引車
３    条溝
４    溝切部材
５    回転軸
６    深溝
７    深溝形成刃
８    浅溝
９    浅溝形成刃
10    播種パイプ
11    ホース
12    覆土用部材
13    連結部材
13a   連結支持部
13b   連結部
14    支持枠
15    対向部分
16    切欠部
17    切刃部
18    切欠部
19    壁面
20    畝
21    コイル状回転体
22    円柱状回転体
23    上部カバー
24    軸支部材
25    播種パイプ固定部
26    バネ部材
27    抜止部材
28    位置決めクリップ
28a   軸嵌合部
28b   締結部
29    取付部
30    固定ナット
31    種子ホッパー
32    排出口部
【図１】
2005168363.tif 000003
【図２】
2005168363.tif 000004
【図３】
2005168363.tif 000005
【図４】
2005168363.tif 000006
【図５】
2005168363.tif 000007
【図６】
2005168363.tif 000008
【図７】
2005168363.tif 000009